【手続補正書】
【提出日】平成27年2月23日(2015.2.23)
【手続補正１】
【補正対象書類名】特許請求の範囲
【補正対象項目名】全文
【補正方法】変更
【補正の内容】
【特許請求の範囲】
【請求項１】
電流搬送装置（１０）であって、
第１の開口部（２４）を画定し、さらに前記第１の開口部（２４）の反対側に配置される第２の開口部（２６）を画定するハウジング（１８）と、
前記ハウジング（１８）内に配置される複数の電子デバイス（１４）であって、前記複数の電子デバイス（１４）の第１の部分が前記第１の開口部（２４）を介してアクセス可能であり、前記複数の電子デバイス（１４）の第２の部分が前記第２の開口部（２６）を介してアクセス可能であり、前記ハウジング（１８）が少なくとも１つのワイヤケーブル（４０）に受け入れ可能に結合されるように構成され、それにより、前記少なくとも１つのワイヤケーブル（４０）が前記複数の電子デバイス（１４）内の少なくとも１つの電子デバイス（７８）に電気連絡され、前記少なくとも１つのワイヤケーブル（４０）が前記ハウジング（１８）に結合された状態で維持される間、前記第１の部分が前記第１の開口部（２４）を介してアクセス可能であり、前記第２の部分が前記第２の開口部（２６）を介してアクセス可能である、複数の電子デバイス（１４）と
を備える、電流搬送装置（１０）。
【請求項２】
前記電流搬送装置（１０）が、
第１の壁（２０）及び第２の壁（２２）であって、前記第１の壁（２０）が前記第１の開口部（２４）を画定し、前記第２の壁（２２）が前記第２の開口部（２６）を画定する、第１の壁（２０）及び第２の壁（２２）と、
前記第１の開口部（２４）を覆うように構成される第１の取外し可能なカバー（５６）及び前記第２の開口部（２６）を覆うように構成される第２の取外し可能なカバー（５８）であって、前記第１の取外し可能なカバー（５６）および前記第２の取外し可能なカバー（５８）が前記ハウジング（１８）に着脱自在に取り付けられる、第１の取外し可能なカバー（５６）及び第２の取外し可能なカバー（５８）と
をさらに有する、
請求項１に記載の装置（１０）。
【請求項３】
前記第１の開口部及び前記第２の開口部が、人間作業者の少なくとも一方の手のみを使用することによりアクセス可能である、請求項１に記載の装置。
【請求項４】
前記電流搬送装置が、回路基板トレースを含むＰＣＢを有しており、前記電流搬送装置が、前記少なくとも１つのワイヤケーブルを受容可能に結合させる少なくとも１つのコネクタポートを有しており、前記第２の部分が取外し可能なヒューズデバイスを有し、前記取外し可能なヒューズデバイスが取外し可能なヒューズ電子回路装置の一部として含まれ、前記取外し可能なヒューズ電子回路装置が、
入力部および出力部を有する少なくとも１つの取外し可能なヒューズデバイスと、
前記入力部に電気接続される電源と、
前記出力部に電気接続される電気伝導性の端子と
を有し、
前記取外し可能なヒューズ電子回路装置が前記少なくとも１つのコネクタポートに隣接するように前記電流搬送装置内の位置に配置され、これにより、前記電気伝導性の端子が前記出力部を前記少なくとも１つのコネクタポートに電気接続させる、
請求項１に記載の装置。
【請求項５】
前記少なくとも１つのコネクタポートが、第１のフットプリントを画定し、前記少なくとも１つの取外し可能なヒューズデバイスが、第２のフットプリントを画定し、前記第２のフットプリントが、前記第１のフットプリント内に少なくとも部分的に配置される、請求項４に記載の装置。
【請求項６】
前記電気伝導性の端子が、第１の端部及び第２の端部を有する、前記ＰＣＢに機械接続されるダブルエンド端子を備えており、前記ダブルエンド端子の前記第１の端部が、前記電流搬送装置に配置されるコネクタポート内に配置される端子であり、前記少なくとも１つのワイヤケーブルに取り付けられるコネクタに配置される対合する端子を受け入れ、前記ダブルエンド端子の前記第２の端部が前記少なくとも１つの取外し可能なヒューズデバイスを受け入れる、請求項４に記載の装置。
【請求項７】
前記装置を受容可能に結合させるためのブラケットをさらに有しており、
前記装置は、車両のエンジンコンパートメント内に配置される電力分配ボックス（ＰＤＢ）を備え、前記車両が地面に配置され、前記第１の壁が前記地面に対して概して垂直な方向において前記地面から離間され、前記第２の壁が前記第１の壁と前記地面との間に配置される、請求項２に記載の装置。
【請求項８】
前記第２の部分が、取外し可能な電子デバイスのみを備える、請求項７に記載の装置。
【請求項９】
前記第２の部分が、取外し可能なヒューズ電子デバイスのみを備える、請求項８に記載の装置。
【請求項１０】
前記装置が前記ブラケットに配置されており、前記少なくとも１つのワイヤケーブルは、前記装置が前記ブラケットから取り外されるときに、前記第１の開口部及び前記第２の開口部が人間作業者によってアクセス可能となるのに十分な長さを有しており、前記装置が、前記少なくとも１つのワイヤケーブルに対して移動されて前記第１の開口部が前記人間作業者に面するとき、前記第１の部分が、前記人間作業者によってアクセス可能となり、前記装置が、前記少なくとも１つのワイヤケーブルの周りで前記第１の開口部に対して反転移動させられて前記第２の開口部が前記人間作業者に面するとき、前記第２の部分が、前記人間作業者によってアクセス可能となる、請求項７に記載の装置。
【請求項１１】
前記人間作業者の一方の人間の手のみを使用して、前記第１の開口部または前記第２の開口部のいずれかがアクセスされる、請求項１０に記載の装置。
【請求項１２】
前記第１の開口部および前記第２の開口部が、前記エンジンコンパートメントに隣接する単一の静止位置にいる前記人間作業者によってアクセスされる、請求項１０に記載の装置。
【請求項１３】
前記少なくとも１つのワイヤケーブルが、前記ＰＤＢの前記第１の壁に沿って配置される少なくとも１つのコネクタポートに取り付けられる、請求項７に記載の装置。
【請求項１４】
電流搬送装置（１０）であって、
第１の外部表面（７０）、および、前記第１の外部表面（７０）の反対側に配置される第２の外部表面（７２）を有する回路ボード（６８）と、
前記第１の外部表面（７０）に近接するように配置される第１の取外し可能な電子デバイス（７８）と、
前記第２の外部表面（７２）に近接するように配置される第２の取外し可能な電子デバイス（７９）と、
前記回路ボード（６８）を通過するダブルエンド端子（１００ｄ）であって、前記ダブルエンド端子（１００ｄ）が、前記第１の取外し可能な電子デバイス（７８）と前記第２の取外し可能な電子デバイス（７９）との間に直接的な電気接続部を形成するように構成される、ダブルエンド端子（１００ｄ）と
を備える電流搬送装置（１０）。
【請求項１５】
前記第１の取外し可能な電子デバイス（７８）が前記第１の外部表面（７０）に近接する第１のフットプリント（８０）を画定し、前記第２の取外し可能な電子デバイス（７９）が前記第２の外部表面（７２）に近接する第２のフットプリント（８１）を画定し、前記第１のフットプリント（８０）が前記第２のフットプリント（８１）の少なくとも一部分内にある、請求項１４に記載の装置（１０）。
【請求項１６】
前記装置が、
前記ハウジング内で前記第１の開口部と前記第２の開口部との間に配置されるプリント回路基板（ＰＣＢ）をさらに有し、前記第１の壁が前記第２の壁に対して平行に離間する、
請求項１４に記載の装置。
【請求項１７】
前記ＰＣＢが、前記複数の電子デバイスの少なくとも一部分を電気的に相互接続させる、前記ＰＣＢ上に配置される回路基板トレースを有しており、少なくとも１つの電子回路装置が、前記ＰＣＢに連絡される少なくとも２つの取外し可能な電子デバイスを有するハウジング内に配置されており、前記少なくとも２つの取外し可能な電子デバイスが複数の端子を有しており、前記少なくとも２つの取外し可能な電子デバイスのうちの１つの電子デバイスの少なくとも１つの端子が、前記少なくとも２つの取外し可能なデバイスの別の１つの電子デバイスの前記少なくとも１つの端子との軸方向の電気接続部を有し、前記少なくとも１つの電子回路装置の前記軸方向の電気接続部が、前記回路基板トレースを使用することなく前記ＰＣＢに連絡される、請求項１６に記載の装置。
【請求項１８】
前記少なくとも２つの取外し可能な電子デバイスがデバイスフットプリントを有しており、第１の取外し可能なデバイスが前記ＰＣＢの第１の表面に近接するように配置され、第２の取外し可能なデバイスが前記ＰＣＢの第２の表面に近接するように配置され、前記第２の表面が前記第１の表面に対向し、前記第１の取外し可能なデバイスの前記デバイスフットプリントが前記第１及び第２の表面に概して垂直な方向に延在する平面を画定し、前記第２のデバイスの前記デバイスフットプリントの少なくとも一部分が前記平面内にある、請求項１７に記載の装置。
【請求項１９】
前記第２の取外し可能なデバイスの前記デバイスフットプリントの大部分が前記平面内にある、請求項１８に記載の装置。
【請求項２０】
前記電流搬送装置が、グループを形成する２つ以上の電子回路装置を備え、前記グループが前記ＰＣＢに連絡され、前記グループが前記少なくとも１つのワイヤケーブルに隣接するように前記電流搬送装置内に配置されて前記回路基板トレースの使用を最小限にするように前記グループを前記少なくとも１つのワイヤケーブルに直接に電気接続させる、請求項１８に記載の装置。
【請求項２１】
前記電流搬送装置が少なくとも１つの開口部を画定し、前記第１の取外し可能な電子デバイス及び前記第２の取り外し可能な電子デバイスが、前記少なくとも１つの開口部を介して前記電流搬送装置の外部からアクセス可能である、請求項１４に記載の装置。
【請求項２２】
前記電流搬送装置が、第１の開口部及び第２の開口部を画定し、前記第１の取り外し可能な電子デバイス及び前記第２の取り外し可能な電子デバイスが、前記第１の開口部及び前記第２の開口部を介して前記電流搬送装置の外部からアクセスされる、請求項２１に記載の装置。
【請求項２３】
前記第１の取外し可能な電子デバイスが、取外し可能なリレーデバイスであり、前記第２の取外し可能な電子デバイスが、取外し可能なヒューズデバイスである、請求項２２に記載の装置。
【請求項２４】
前記電流搬送装置に取り付けられる少なくとも１つのワイヤケーブルをさらに有する、請求項１４に記載の装置。
【請求項２５】
前記第１のフットプリントが、前記第２のフットプリントの大部分内にある、請求項１５に記載の装置。
【請求項２６】
前記電流搬送装置が、車両内に配置される電力分配システムに関連付けられる電力分配ボックスを備える、請求項１４に記載の装置。